(57)【要約】拡張型アンテナシステムは、固定されたアパーチャと、アンテナシステムのリフレクターのサイズを大きく増大した拡張型アパーチャとを組み合わせている。固定部分は、適度なゲイン性能が拡張の失敗の際に維持される「リスクバッファ」を与える。反射型皿の実施形態では、拡張型環が、多くの宇宙船に適合し、伝達手段の覆いを送り出すための固定皿との下にコンパクトに収容されている。適度なガス圧は、より大きな反射表面を形成する拡張式部分を展開する。拡張後、拡張した反射表面を形成する材料は、硬く作られる。より小さい固定皿用の固定されたフィードシステムは、任務の間中、より小さい固定皿の動作を考慮している。さらに、より小さい固定されたアンテナは、特別な方向におけるより大きな拡張型アンテナを差し示し、こうして２重の使用可能性を与えるために用いられるポインティング情報を引き出すために使用される信号を受信できる。任意のサブリフレクタフィードシステムは、拡張式アンテナの表面形状歪みを訂正するために使用されることができる。
2004500749.tif 000002
【特許請求の範囲】
【請求項１】
固定アンテナ部分と、
収容可能な拡張式アンテナ部分と、
上記収容可能な拡張式アンテナ部分の展開手段とを備え、
増加したデータ比率の通信が可能なより大きな反射表面を備えたアンテナシステムを供給するハイブリッド拡張式アンテナシステム。
【請求項２】
上記固定アンテナ部分は、上記拡張型アンテナ部分よりも小さい第１・第２フィードシステムをさらに備えており、拡張部分の展開の際に、第１フィードシステムが、上記固定アンテナ部分を有効に照らし、第２フィードシステムが、上記拡張式アンテナ部分を有効に照らして、上記固定部分と拡張部分とが有効に働いて、同時に２重アンテナ性能を供給する請求項１に記載の拡張式アンテナシステム。
【請求項３】
上記より小さい固定アンテナ部分は、上記より大きい拡張型アンテナを差し示すために方向性に関する情報を引き出し可能な信号を特別な方向から受信する請求項２に記載の拡張式アンテナシステム。
【請求項４】
拡張が失敗したとき、上記第１フィードシステムの、上記アンテナシステムの固定部分との組み合わせは、信号を伝送、受信するために、有効のままである請求項２に記載の拡張式アンテナシステム。
【請求項５】
上記拡張式アンテナ部分の展開手段は、上記拡張式アンテナ部分を展開させる拡張式チャンバに対する加圧ガスの放出を含んでおり、それにより、上記固定アンテナ部分に接続された上記より大きな拡張式アンテナ部分を形成する請求項２に記載の拡張式アンテナシステム。
【請求項６】
上記固定アンテナ部分が放射状である請求項１に記載の拡張型アンテナシステム。
【請求項７】
上記拡張式部分は、展開時に放射状環を形成する請求項６に記載のハイブリッド拡張式アンテナシステム。
【請求項８】
上記拡張式放射状環アンテナ部分の展開手段は、上記拡張式放射状環アンテナ部分に展開させる拡張式チャンバへの加圧ガスの放出を含んでおり、それによって、上記固定されたパラボラアンテナ部分に接続されたより大きなパラボラアンテナ部分を形成する請求項７に記載の拡張式アンテナシステム。
【請求項９】
上記拡張式放射型環アンテナ部分の展開の際に、硬化工程が、上記拡張式放射型環部分を硬くするために、上記アンテナシステムの拡張式放射型環部分に適用されている請求項８に記載の拡張式アンテナシステム。
【請求項１０】
上記拡張式放射型環アンテナ部分の展開の際に、上記拡張式放射状環部分が、無線周波数（ＲＦ）反射材料からなる内側放射状表面と、無線周波数（ＲＦ）透過材料からなる外側表面とを有する拡張式チャンバを形成する請求項８に記載の拡張式アンテナシステム。
【請求項１１】
上記拡張式放射型環アンテナ部分の展開の際に、上記拡張式放射状環部分が、無線周波数（ＲＦ）反射材料からなる内側放射状表面と、無線周波数（ＲＦ）透過材料からなる外側表面とを有する拡張式チャンバを形成する請求項９に記載の拡張式アンテナシステム。
【請求項１２】
上記収容可能な拡張式アンテナ部分の展開の際に、硬化工程が、上記収容可能な拡張式アンテナ部分を硬くするために適用されている請求項１に記載の拡張式アンテナシステム。
【請求項１３】
上記拡張式部分は、展開の際に放射型環を形成する請求項１に記載の拡張式アンテナシステム。
【請求項１４】
上記拡張式部分は、展開前は上記固定アンテナ部分の下に収容されている請求項１に記載の拡張式アンテナシステム。
【請求項１５】
信号を放射するフィードアンテナと、
上記フィードアンテナからの信号を上記拡張式アンテナ部分で反射するサブリフレクタとを備え、上記サブリフレクタは、上記拡張式アンテナ部分で形状変形を訂正するために、修正および最適化されることができる、上記固定されたアンテナ部分を効果的に照らす第１フィードシステムと第２フィードシステムとを備えている請求項１に記載の拡張式アンテナシステム。
【請求項１６】
信号を放射するフィードアンテナと、
上記フィードアンテナからの信号を上記拡張式アンテナ部分で反射するサブリフレクタとを備え、上記サブリフレクタは、上記拡張式アンテナ部分で形状変形を訂正するために、修正および最適化されることができる、上記固定されたアンテナ部分を効果的に照らす第１フィードシステムと第２フィードシステムとを備えている請求項７に記載の拡張式アンテナシステム。
【請求項１７】
上記サブリフレクタは、軸方向に対称な表面を有している請求項１６に記載の拡張式アンテナシステム。
【請求項１８】
上記サブリフレクタは、ＲＦ反射エレメントのアレイを含んでいる請求項１５または１６に記載の拡張式アンテナシステム。
【請求項１９】
上記サブリフレクタは、遠隔修正あるいは最適化されている請求項１７に記載の拡張式アンテナシステム。
【請求項２０】
上記ＲＦ反射エレメントのアレイは、遠隔修正あるいは最適化されている請求項１８に記載の拡張式アンテナシステム。
【発明の詳細な説明】
〔発明の属する技術分野〕
本発明は、固定アンテナと拡張式部分とを組み合わせたハイブリッド拡張式アンテナに関するものである。
【０００１】
〔発明の背景〕
拡張式アンテナは、高ビットデータ通信を可能にするための可能性のため、現在の宇宙科学技術研究の焦点となっている。現在の拡張式アンテナデザインは、展開させるためにガス拡張を用い、反射体表面を形成している。上記アンテナの可能性は、拡張行程の成功および反射体表面を硬くすることについての正確さに依存する。このプロセスは、バックアップシステムがない場合には、その任務に対して意義深いリスクになり得る。大きな拡張式アンテナシステムは、しばしば、「一か八か」で設計され、それらが働かない場合には、その衛星の任務は完全に消滅する。このため、拡張式アンテナの適用は、現在においては、主に、とても大きな開口がその任務を可能にするために必要とされる任務に限定されている。そういった任務の例としては、恒星間の調査とか、大きな画像処理レーダー衛星とかがある。
【０００２】
必要なものは、拡張に失敗した場合に、任務の重要な適度なビット比率のバックアップ能力を保っている間に、宇宙から高ビット比率を戻すことができる拡張式アンテナシステムである。
【０００３】
〔発明の要約〕
ハイブリッド拡張式アンテナシステムは、拡張の失敗が起こった際にバックアップ能力を与えることにより、上述の「一か八か」のシナリオを避けて、発展してきた。このシステムは、軌道内にいる間に、アンテナシステムの放射領域を大きく増加させるために、固定された放射領域と拡張部分とを組み合わせている。固定された部分は、その中で、拡張が失敗した際に適度なゲイン能力が保持される「リスクバッファ」を与える。固定されたフィードシステムは、アンテナのより大きな部分の拡張であるか否かに関わらず、任務の間中、アンテナのより小さい固定部分の動作が成功することを保証する。
【０００４】
本発明の第１の実施形態と一致するのは、ハイブリッド拡張式パラボラアンテナシステムである。このシステムは、適度なビット比率のデータ伝送が可能で、拡張式環部分を収容できる固定されたパラボラアンテナを含んでいる。このシステムは、それにより、高ビット比率データ伝送が可能な、より大きな反射表面を持つ総合的なハイブリッドアンテナシステムを供給する拡張式環部分の展開手段も含んでいる。第１・第２フィードシステムは、より小さい固定されたパラボラアンテナ部分とより大きな拡張式パラボラアンテナ部分とをそれぞれ有効に照らしている。
【０００５】
第１フィードシステムは固定され（展開していない）、その結果、アンテナシステムのより小さい固定された皿部分の保証された処理を供給する。第２フィードシステムは、アンテナシステムのより大きな拡張された皿部分の動作のために、固定されるか、あるいは展開されるかいずれかであればよい。アンテナシステムの固定され、展開された部分は、アップリンクおよびダウンリンク情報伝達のための分割された開口を供給するために、もし望むなら、同時に動作してもよい。この構成では、二重機能の可能性が生じ、より大きなアパーチャにより伝送されたダウンヒル信号のために、より小さいアパーチャにより受信されたアップリンク信号をポインティング情報を与えるために使用することができる。
【０００６】
拡張式環は、宇宙船の種類に適応させ、伝達手段の覆いを送り出すために、固定された皿部分の下にコンパクトに収容される。適度なガス圧が、そのとき放射反射表面を形成する環を展開する。拡張後、環表面を含む材料は、温度、紫外線（ＵＶ）、その他の効果方法を用いて硬化させてもよい。例えば、本発明は、その直径を４メーター以上に増加させるために、典型的な１メーターに固定された皿を得ることができる。拡張された４メータパラボラアンテナは、３０ワットのＫａ−バンドパワーアンプを用いて、火星から１Ｍｂｐｓのオーダで１ビット比率を戻すことができる。
【０００７】
第２の実施形態では、ハイブリッド拡張式アンテナは、第１・第２フィードシステムを備えている。第１フィードシステムは、固定されたアンテナ部分を有効に照らしている。第２フィードシステムは、フィードアンテナとサブリフレクタとを備えている。サブリフレクタは、拡張式アンテナ部分でフィードアンテナからの信号を反射する。サブリフレクタは、軸方向に対称形であり、その名目上の形は、楕円形や双曲線形とすることができる。さらに、その形状は、修正され、拡張式アンテナ部分で変形のために訂正するように最適化される。サブリフレクタは、遠隔調整が可能なＲＦ反射エレメントのアレイを含むことができる。本発明の他の面および特徴は、付随的な図面と組み合わせた本発明の特別な実施形態の以下の記述の概説において、その技術分野において通常ありふれたものによって明らかになるであろう。
【０００８】
〔好ましい実施の形態の詳細な説明〕
本発明の第１の実施形態は、皿の反射領域を大きく増加させるために、拡張式環を備えたハイブリッド拡張式パラボラアンテナを形成している。本発明のコンセプトは、しかしながら、本発明の精神や目的から離れることなく、いくつかのアンテナの形状やサイズに適用可能である。典型的な実施形態は、より大きな直径のパラボラアンテナシステムを形成するために、展開可能な環を備えたより小さい直径の固定されたパラボラアンテナシステムを特定する。
【０００９】
ハイブリッド拡張式アンテナシステムの重さおよび体積は、機械的に展開されたパラボラアンテナシステムのそれよりも有意に小さい。ここで、図１を見ると、ハイブリッド拡張式アンテナシステムの断面図が、その収容された部分に示されている。拡張式皿の環１１０は、パラボラアンテナシステムの固定部分１２０の真下にコンパクトに収容されている。これは、パラボラアンテナシステムが、宇宙船の種類に適応し、伝達手段の覆いを送り出すことを許している。固定部分１２０は、標準的なパラボラアンテナ材料を含んで構成されることができる。ほとんどの拡張式皿輪１１０が、その材料を折り畳んだり、丸めたりして、拡張式パラボラアンテナシステムの柔軟性のない固定部分１２０の下に収容されている。フィードサポート１３０は、２つのフィードシステムを含んでいる。一方のフィードシステム１４０は、パラボラアンテナシステムの固定部分１２０を備えた処理のためのものである。フィードサポート１３０の部分は、もう一方のフィードシステム（図１には図示しておらず、図２に示した１５０）を、拡張式皿形アパーチャを照らすための適切な位置に配置するために、外側に展開させることができる。そして、もう一方のフィードシステム（１５０）は、拡張時のパラボラアンテナシステム処理のためのものである。図１では、単純な柱として示したが、フィードサポート１３０は、一連の支柱や、オフセット台を含む色々な方法で実行されることができる。
【００１０】
図２は、その拡張式構造において示された拡張式パラボラアンテナシステムの断面図を、図３は、その等尺図を示している。このような形態では、拡張式環１１０は、より大きな直径のパラボラアンテナシステムを達成するために、展開されている。両方のフィードシステム１４０・１５０は、ここで示されている。
【００１１】
フィードシステム１４０は、固定され（例えば、展開されていない）、より大きな拡張式パラボラアンテナに対するバックアップとして、適切なゲイン能力を与えるパラボラアンテナシステムのより小さい固定部分１２０を照らしている。フィードシステム１５０は、高ゲイン能力を与える拡張式パラボラアンテナ領域を照らしている。典型的な応用においては、より大きい展開型アンテナが、高ビット比率のダウンリンク処理を可能にする一方、より小さい固定アンテナが、アップリンクおよびダウンリンク両方の処理を可能にする。その広いビーム幅によって、より小さい固定アンテナが、より大きい展開型アンテナを差すための補助の獲得、追跡として作用することができ、それによって、共用の可能性を与えることができる。
【００１２】
ここで示した実施形態における拡張工程の間、リムトラスチューブ１６０は、環１１０の展開駆動をしながら、拡張する。ガス圧システムは、リムトラスチューブ１６０に用いられる。ガス圧が増えると、拡張式環１１０は、十分に拡張するまで展開、拡張する。リムトラスチューブ１６０は、拡張した環の外側表面付近でリムを形成して、硬くなり、拡張したパラボラアンテナの形状を正確に保つ。環１１０の展開は、拡張式チャンバ１７０を形成する。このチャンバの外側の材料１７２は、パラボラアンテナに影響を与えることのない無線周波数（ＲＦ）透明手段である。内側のパラボラ表面１７４は、ＲＦ反射する。
【００１３】
パラボラアンテナシステムの固定部分１２０と拡張式部分１１０とは、反射表面を形成するために結合しているため、その二つのアンテナ部分の間に、遷移点１８０が存在する。放射の形状は、フィードシステム１４０・１５０におけるデザイン上の制限に依存して、潜在的に異なっている。
【００１４】
図２でフィードシステム１５０として示した単純なフィード構成は、合理的なアンテナ効率を維持するために、（その例では）高精度の放射表面を必要としている。Ｋａバンドで動作する際の反射表面形状のための必要な正確さは、±０．３ｍｍ〜±０．５ｍｍのオーダである。これは、拡張式環のために維持することは難しいかもしれない。もし、その表面の精度が、意義深く放射形状から逸脱する場合には、成型されたサブリフレクタフィードは、リフレクター表面で歪みを修正するように用いられることができる。これは、拡張式環の効率を増大させる。この目的のために使用されるサブリフレクタフィードの配置がいくつかある。たくさんの利用可能なタイプの配置の一例が、以下に示されている。
【００１５】
図４は、本発明の第２の実施形態を示している。この実施形態は、軸方向に対称なグレゴリアンフィードシステムを備えた図２に示すフィードシステム１５０（最上のフォーカスフィードシステム）を再配置している。このタイプのフィードシステムは、サブリフレクタスプラッシュプレート１９０と、フィードアンテナ２００とを備えている。
【００１６】
図４に示すフィードシステムは、上記実施形態におけるフィードシステム１４０に似た第１フィードシステム１９５を有している。第２フィードシステムは、この例においては、フィードアンテナ２００、フィードホーン、サブリフレクタスプラッシュプレート１９０を含んで与えられている。フィードホーン２００からの信号は、拡張式部分１１０上でスプラッシュプレート１９０から離れて反射する。このように、本実施形態は、スプラッシュプレート１９０を、拡張式環１１０上でエネルギーの方向に向くように用いることができ、ハイブリッド拡張式アンテナの固定部分１２０においては必要とされないという有利な点を与える。
【００１７】
本実施形態においては、スプラッシュプレート１９０は、軸方向に対称な表面を有しており、その名目上の形状は楕円形である。スプラッシュプレート１９０の名目上の形状は、双曲線形である。スプラッシュプレート１９０の正確な形状は、拡張式環の歪み輪郭に依存している。スプラッシュプレート１９０の表面は、拡張式環１１０におけるゆっくり変化する変形を訂正するために修正、最適化されることができる。スプラッシュプレート１９０の形状は、ハイブリッド拡張式アンテナの拡張式部分１１０において、いくつかの奇形を調整するためにかき乱されることができる。スプラッシュプレート１９０は、成型された金属導電性表面として、あるいはある意味で、成型された金属導電性表面に類似した振る舞いをするＲＦ反射エレメントのアレイ（例えば、印刷されたマイクロストリップパッチ、リング、双極子等）として、実行されることができる。後者の場合には、反射表面の形状が平坦化されることができ、必ずしも、楕円形あるいは双曲線形である必要はない。ＲＦ反射エレメントのアレイは、遠隔修正および／または最適化されることができる。
【００１８】
本実施形態では、フィードアンテナ１９５は、ハイブリッド拡張式アンテナの固定部分１２０を直接照らすように示されている。固定部分のゲイン性能は、スプラッシュプレート１９０からの妨害物により減じられる。固定部分１２０の総合的な効率は、スプラッシュプレート１９０から離してＲＦエネルギーを配向するフィードシステムを用いて改良されることができる。軸方向に対称なサブリフレクタフィードシステムは、固定部分１２０の総合的な効率を改良するためにフフィードアンテナ１９５として使用されることができる。
【００１９】
環１１０の拡張後、拡張式環の放射型表面の材料は、温度、紫外線（ＵＶ）、その他の硬化方法により硬くされることができる。もし、硬化が使用されると、アンテナを拡張するために用いられるガス圧の制御された放出は、複合体が硬化した後、発生する。ガス圧は、一旦硬くなった皿の形状を維持するためには必要とされない。前述の工程は、宇宙船の軌道動態により生じる歪みを極小化するより硬い放射型反射表面を形成することに使われる。硬化は、拡張型パラボラアンテナ構造の長期間の信頼性を考慮すれば、小さな隕石の衝突に耐えるための重要な能力を与える。
【００２０】
ハイブリッド拡張式パラボラアンテナシステムの発展は、宇宙からの高データ比率を必要とする将来の人工衛星に大きな影響を持つことができる。例えば、ＮＡＳＡの目標は、高解像度テレビ伝送を可能にするために、火星から１Ｍｂｐｓ伝送能力を持つことである。予備的な計算は、直径４メーターに拡張されたＫａバンド（３２ＧＨｚ）アンテナが、３０ワットのアンプを用いて、典型的な火星−地球間の距離からＭｂｐｓを戻すことができることを示している。対照的に、直径１メーターのＫａバンドアンテナは、６２Ｋｂｐｓだけ戻すことができる。このような計算は、直径３４メーターのグランドアンテナを想定している。
【００２１】
商業的人工衛星産業は、拡張に失敗した際に、適度な注文のサービス能力を持つ大きな拡張型アンテナを使用して、役立ててもよい。
【００２２】
パラボラアンテナの固定部分は、たとえ、パラボラアンテナのより小さい直径の固定部分が実施可能である場合でも、適度なゲイン能力が維持された任務リスクバッファを与える。これは、拡張に失敗した際には重要である。固定された硬化したフィードシステムは、任務を通じて、より小さい直径のパラボラアンテナ動作を考慮している。より小さいパラボラアンテナの２重周波数性能は、同時に起こるアップリンク／ダウンリンク性能を与え、より大きな皿を差す手段を与える。後者の場合には、より小さいパラボラアンテナは、より大きく拡張されたダウンリンクアンテナのためにポインティング情報を与えるために、アップリンクビーコン信号を追跡することに使用されてもよい。
【００２３】
付加的な可能性およびコストダウンは、相対的に単純な展開方法からも得ることができる。ごく少ない機構および移動部分は、ハイブリッドアンテナシステムを拡張するために必要である。さらに、ハイブリッドアンテナシステムの拡張に反応するガス圧システムは、少数の低コスト部品を含んでいる。さらに、これらの部品は宇宙船に既に存在しているかもしれない。結果として、より大きな信頼性および低コストは、モーター駆動されたアンテナ展開システムと比較して、達成される。
【００２４】
本発明は、現在の宇宙船アンテナシステムを越えて、いくつかの重要な有利な点を有する。これらの有利な点は、測定可能な高ゲインアンテナの基本的構造、軌道内のＲＦ性能を向上させるコンパクトパッケージ、リスクの軽減を含んでいる。さらに、アンテナの固定部分とアンテナの拡張部分とは、いくつかの形状、あるいは大きさであってもよく、ここで開示された実施形態に限定されるものではない。さらに、フィードアンテナシステムは、これらに限定されるものではないが、支柱支持ストラットやオフセットマウントを含む多種多様な方法で補助されることができる。
【００２５】
請求項においては、述べられた機能、構造的に同様のものだけでなく、同様の構造についても実行可能であるとして、いくつかの従属項で、ここで述べられた構造をカバーするように設けられている。それゆえ、前述したものは、本発明の実例であり、開示された特別な実施形態に限定されるように構成されておらず、他の実施形態と同様に開示された実施形態に対するその修正は、添えられた請求項の範囲内に含まれているものである。本発明は、そこに含まれる請求項の同様なものを持つ請求項によって定義されている。
【図面の簡単な説明】
【図１】
本発明の第１の実施形態に係るその収容された位置におけるパラボラアンテナシステムの断面図である。
【図２】
本発明の第１の実施形態に係るその拡張部分におけるパラボラアンテナシステムの断面図である。
【図３】
本発明の第１の実施形態に係る図２に示されたパラボラアンテナシステムの
等尺図である。
【図４】
本発明の第２の実施形態に係るその拡張部分におけるパラボラアンテナシステムの断面図である。
【国際公開パンフレット】
2004500749.tif 000003
2004500749.tif 000004
2004500749.tif 000005
2004500749.tif 000006
2004500749.tif 000007
2004500749.tif 000008
2004500749.tif 000009
2004500749.tif 000010
2004500749.tif 000011
2004500749.tif 000012
2004500749.tif 000013
2004500749.tif 000014
2004500749.tif 000015
2004500749.tif 000016
2004500749.tif 000017
2004500749.tif 000018
2004500749.tif 000019
【手続補正書】
【提出日】平成13年10月29日(2001.10.29)
【手続補正１】
【補正対象書類名】明細書
【補正対象項目名】特許請求の範囲
【補正方法】変更
【補正の内容】
【特許請求の範囲】
【請求項１】
独立して適度なゲイン性能を持つ固定アンテナ部分と、
収容可能な拡張式アンテナ部分と、
上記収容可能な拡張式アンテナ部分の展開手段とを備え、
増加したデータ比率の通信が可能なより大きな反射表面を備えたアンテナシステムを供給するハイブリッド拡張式アンテナシステム。
【請求項２】
上記固定アンテナ部分は、上記拡張型アンテナ部分よりも小さい第１・第２フィードシステムをさらに備えており、拡張部分の展開の際に、第１フィードシステムが、上記固定アンテナ部分を有効に照らし、第２フィードシステムが、上記拡張式アンテナ部分を有効に照らして、上記固定部分と拡張部分とが有効に働いて、同時に２重アンテナ性能を供給する請求項１に記載の拡張式アンテナシステム。
【請求項３】
上記より小さい固定アンテナ部分は、上記より大きい拡張型アンテナを差し示すために方向性に関する情報を引き出すことができる信号を特別な方向から受信する請求項２に記載の拡張式アンテナシステム。
【請求項４】
拡張が失敗したとき、上記第１フィードシステムの、上記アンテナシステムの固定部分との組み合わせは、信号を伝送、受信するために、有効のままである請求項２に記載の拡張式アンテナシステム。
【請求項５】
上記拡張式アンテナ部分の展開手段は、上記拡張式アンテナ部分を展開させる拡張式チャンバに対する加圧ガスの放出を含んでいる請求項２に記載の拡張式アンテナシステム。
【請求項６】
上記固定アンテナ部分が放射状である請求項１に記載の拡張型アンテナシステム。
【請求項７】
上記拡張式部分は、展開時に放射状環を形成する請求項６に記載のハイブリッド拡張式アンテナシステム。
【請求項８】
上記拡張式放射状環アンテナ部分の展開手段は、上記拡張式放射状環アンテナ部分に展開させる拡張式チャンバへの加圧ガスの放出を含んでおり、それによって、上記固定されたパラボラアンテナ部分に接続されたより大きなパラボラアンテナ部分を形成する請求項７に記載の拡張式アンテナシステム。
【請求項９】
上記拡張式放射型環アンテナ部分の展開の際に、硬化工程が、上記拡張式放射型環部分を硬くするために、上記アンテナシステムの拡張式放射型環部分に適用されている請求項８に記載の拡張式アンテナシステム。
【請求項１０】
上記拡張式放射型環アンテナ部分の展開の際に、上記拡張式放射状環部分が、無線周波数（ＲＦ）反射材料からなる内側放射状表面と、無線周波数（ＲＦ）透過材料からなる外側表面とを有する拡張式チャンバを形成する請求項８に記載の拡張式アンテナシステム。
【請求項１１】
上記拡張式放射型環アンテナ部分の展開の際に、上記拡張式放射状環部分が、無線周波数（ＲＦ）反射材料からなる内側放射状表面と、無線周波数（ＲＦ）透過材料からなる外側表面とを有する拡張式チャンバを形成する請求項９に記載の拡張式アンテナシステム。
【請求項１２】
上記収容可能な拡張式アンテナ部分の展開の際に、硬化工程が、上記収容可能な拡張式アンテナ部分を硬くするために適用されている請求項１に記載の拡張式アンテナシステム。
【請求項１３】
上記拡張式部分は、展開の際に放射型環を形成する請求項１に記載の拡張式アンテナシステム。
【請求項１４】
上記拡張式部分は、展開前は上記固定アンテナ部分の下に収容されている請求項１に記載の拡張式アンテナシステム。
【請求項１５】
信号を放射するフィードアンテナと、
上記フィードアンテナからの信号を上記拡張式アンテナ部分で反射するサブリフレクタとを備え、上記サブリフレクタは、上記拡張式アンテナ部分で形状変形を訂正するために、修正および最適化される、上記固定されたアンテナ部分を効果的に照らす第１フィードシステムと第２フィードシステムとを備えている請求項１に記載の拡張式アンテナシステム。
【請求項１６】
信号を放射するフィードアンテナと、
上記フィードアンテナからの信号を上記拡張式アンテナ部分で反射するサブリフレクタとを備え、上記サブリフレクタは、上記拡張式アンテナ部分で形状変形を訂正するために、修正および最適化される、上記固定されたアンテナ部分を効果的に照らす第１フィードシステムと第２フィードシステムとを備えている請求項７に記載の拡張式アンテナシステム。
【請求項１７】
上記サブリフレクタは、軸方向に対称な表面を有している請求項１６に記載の拡張式アンテナシステム。
【請求項１８】
上記サブリフレクタは、ＲＦ反射エレメントのアレイを含んでいる請求項１５または１６に記載の拡張式アンテナシステム。
【請求項１９】
上記サブリフレクタは、遠隔修正あるいは最適化されている請求項１７に記載の拡張式アンテナシステム。
【請求項２０】
上記ＲＦ反射エレメントのアレイは、遠隔修正あるいは最適化されている請求項１８に記載の拡張式アンテナシステム。
【国際調査報告】
2004500749.tif 000020
2004500749.tif 000021
2004500749.tif 000022